(57)【要約】【課題】　給水接続部および水抜き栓の突出部の落下時の破損防止を図りつつ、意匠性を損なうことのない衛生洗浄装置を提供する。【解決手段】　衛生洗浄装置１の給水接続部５は上下に回転可能で、また、水路の開閉手段及び水抜き手段６は本体ケース２内に設置され、水抜きは本体ケース２の底部に設けられた開口部７から水抜き栓８を外して行なうようにした。水抜き栓８は、閉状態にあるときは本体ケース底面よりも上方に収納されるので、便器に干渉したり、誤って落下したときに損傷することがない。また、給水接続部や水抜き部の張り出しがないため、見栄えが良い。【選択図】　図２
2004137878.tif 000002
【特許請求の範囲】
【請求項１】
便器の後部に取り付けられ、本体ケースに回動自在に取り付けられた便座と、上水道からの給水接続部と、水路の開閉手段、熱交換器、ノズル等の付随機器とを備え人体局部を洗浄する衛生洗浄装置において、水路の開閉手段までの配管内の残水を水抜きする水抜き手段を有し、該便座と本体ケースは概略同じ幅であり、給水部は本体ケース側面側に設けられ、前記水抜き手段は前記本体ケース底部に設けられた開口部により操作が可能であり、水抜き手段が閉状態にあるときは本体ケース底面よりも上方に収納されることを特徴とする衛生洗浄装置。
【請求項２】
請求項１記載の衛生洗浄装置において、前記給水接続部は上下または／及び左右に回転自在に構成したことを特徴とする衛生洗浄装置。
【請求項３】
請求項１若しくは請求項２に記載の衛生洗浄装置において、前記本体ケース底部に設けられた開口部内側には水抜き手段が有する排水口を囲うリブが設けられており、前記リブと排水口を近接させたことを特徴とする衛生洗浄装置。
【請求項４】
請求項３記載の衛生洗浄装置において、前記リブと排水口の近接部にパッキンを挟ませシール構造を有することを特徴とする衛生洗浄装置。
【請求項５】
請求項１乃至請求項４のいずれか１項に記載の衛生洗浄装置において、洋風便器に対し着脱可能であることを特徴とする衛生洗浄装置。
【請求項６】
便器の後部に取り付けられ、本体ケースに回動自在に取り付けられた便座と、上水道からの給水接続部と、水路の開閉手段、熱交換器、ノズル等の付随機器とを備えた、便器幅と略同一な、人体局部を洗浄する衛生洗浄装置において、前記給水接続部は便器の前後方向を指向する回転軸を有し、該回転軸は前記本体ケース内に配置されることを特徴とする衛生洗浄装置。
【発明の詳細な説明】
【技術分野】
【０００１】
　本発明は、局部洗浄のために洗浄水の噴出を行う衛生洗浄装置における、水路の開閉手段までの水抜き構造及び給水構造に関する。
【背景技術】
【０００２】
　この衛生洗浄装置については、本体ケース内に局部洗浄機能を実現するさまざまな付随装置の収納が必要となる。例えば、水を局部に吐出したのでは使用者に不快感を与えることから、吐出する洗浄水を予め温水化する為、熱交換器が必要となり、局部洗浄用の洗浄水を噴出するための洗浄ノズル、洗浄ノズルから噴出する洗浄水の噴出を制御するための制御部等の諸部材がすべて本体ケース内に取付けられる。このため、従来の衛生洗浄装置本体は便器より外に大きくはみ出した側方突出部を有する大きなものとなっていた。しかし、一般的にトイレスペースは狭い場合が多く、便器に取り付けた場合に側方突出部が邪魔をして、トイレ内を掃除する際に掃除しづらいという課題や、意匠性の面でも側方突出部のないすっきりとしたものが望まれていた。
【０００３】
　このような課題を克服する為に種々の技術が提案されており、例えば、本体ケースの高さを高くして、局部洗浄に必要な諸部材の収納スペースを確保する手段や、温水タンクを用いない瞬間式の熱交換器を設けてコンパクトな構成とする技術があり、このようにすれば、便器本体より大きくはみ出した側方突出部をなくすことができ、トイレ内での設置スペースを確保することが可能である（例えば、特許文献１参照）。しかし、このような側方突出部をなくした衛生洗浄装置において、せっかく側方突出部をなくしたにも関わらず、給水接続部が製品の背面に向いているものは、給水接続部に接続される配管と便器のロータンク部との干渉をさけたり、良好な施工性を確保する為には給水接続部をある程度側方へ突出させる必要があり、この突出部が極めて目立ってしまい違和感を与えると共に、取りつけ可能な便器幅が限定されていた。
【０００４】
　また、衛生洗浄装置には、給水配管から水路の開閉手段までの残水による凍結破損をおこさないように、給水接続部と一体に水抜き部を備えており、さらに給水接続部が目立つ要因になっていた。また、この給水接続部及び水抜き部のみ本体ケースから張り出している為、誤って製品を落下させてしまった際に破損しやすいという不具合もあった。この給水接続部の張り出しについては、本体ケース側面と本体ケース底面との間のコーナー部に給水接続部を備えて、給水接続部を目立たせずに意匠性の向上を図った例もある（例えば、特許文献２参照）。
【特許文献１】特開２００１−１５２５１２号公報（図１、図２）
【特許文献２】特開２００１−１３２０４２号公報（図１）
【発明の開示】
【発明が解決しようとする課題】
【０００５】
　しかしながら、上記した特許文献２の例でも、水抜き栓は本体ケース側方から突出させており、さらに落下時の破損防止の為に、給水接続部および水抜き栓の突出部を本体ケースで覆っている為、約２ｃｍ程度の張り出し部が存在しており、少なからず意匠性を損なう原因になっていた。
【０００６】
　本発明は、上記課題を解決するためになされたもので、本発明の目的は、給水接続部および水抜き栓の突出部の落下時の破損防止を図りつつ、意匠性を損なうことのない衛生洗浄装置を提供することにある。
【課題を解決するための手段】
【０００７】
　上記目的を達成するために請求項１記載の発明によれば、上記課題を解決するために請求項１は、便器の後部に取り付けられ、本体ケースに回動自在に取り付けられた便座と、上水道からの給水接続部と、水路の開閉手段、熱交換器、ノズル等の付随機器とを備え人体局部を洗浄する衛生洗浄装置において、水路の開閉手段までの配管内の残水を水抜きする水抜き手段を有し、該便座と本体ケースは概略同じ幅であり、給水部は本体ケース側面側に設けられ、前記水抜き手段は前記本体ケース底部に設けられた開口部により操作が可能であり、水抜き手段が閉状態にあるときは本体ケース底面よりも上方に収納されることとした。これにより、便座と本体ケースの幅が概略同じ程度のコンパクトな設計であっても、給水接続部が側面を向いているので給水配管と便器ロータンクとの干渉がなく、給水接続部の張り出しがない状態で多様な便器に取りつけ可能となり、見栄えも良い。さらに、水抜き栓が完全に見えなくため見栄えの良さが増す。また、給水接続部及び水抜き部の張り出しがない為、落下時にも破損しにくい。
【０００８】
また、請求項２記載の発明によれば請求項１の発明に加え、前記給水接続部は上下または／及び左右に回転自在に構成した。この場合、給水接続部までの配管形状を違和感のないものとすることができ、見栄えが良い。またメンテナンス時等に本体ケースを便器から外しやすく、作業性が向上する。
【０００９】
　また、請求項３記載の発明によれば、請求項１又は請求項２の発明に加え、前記本体ケース底部に設けられた開口部内側には水抜き手段が有する排水口を囲うリブが設けられており、前記リブと排水口を近接させた。この場合、水抜き時に抜いた水が本体ケースの水抜き用の開口部から侵入しづらい構造となる。
【００１０】
　また、請求項４記載の発明によれば、請求項３の発明に加え、前記リブと排水口の近接部にパッキンを挟ませシール構造を有することとした。この場合、パッキンにて前記リブと排水口を水密的にシールすることにより、水抜き時に抜いた水が本体ケースの水抜き用の開口部から侵入することがない。
【００１１】
　また、請求項５記載の発明に請求項１乃至請求項４のいずれか１項に記載の発明に加え、洋風便器に対し着脱可能であることとした。この場合、衛生洗浄装置を洋風便器から取外すことにより、水抜き作業を容易に行うことができる
【００１２】
　また、請求項６記載の発明によれば、便器の後部に取り付けられ、本体ケースに回動自在に取り付けられた便座と、上水道からの給水接続部と、水路の開閉手段、熱交換器、ノズル等の付随機器とを備えた、便器幅と略同一な、人体局部を洗浄する衛生洗浄装置において、前記給水接続部は便器の前後方向を指向する回転軸を有し、該回転軸は前記本体ケース内に配置した。これにより、便座と本体ケースの幅が概略同じ程度のコンパクトな設計であって、給水接続部が回転可能となるため、給水配管の取りまわしが容易となる。
【発明の効果】
【００１３】
　給水接続部および水抜き栓の突出部の落下時の破損防止を図りつつ、意匠性を損なうことのない衛生洗浄装置を提供することが、可能となる。
【発明を実施するための最良の形態】
【００１４】
　続いて、添付した図面を参照しつつ、本発明を具体化した実施の形態につき説明し、本発明の理解に供する。ここに、図１は本発明の第１の実施形態に係る衛生洗浄装置の斜視図、図２は同衛生洗浄装置の底面からの斜視図、図３は同衛生洗浄装置の水抜き手段の断面図、図４は本発明のフレンチカーブ便器に取り付けられた衛生洗浄装置の斜視図、図５は衛生洗浄装置の取付部材であるベースプレートの便器への取付説明図、図６は便器と衛生洗浄装置の着脱説明図、図７は水路の開閉手段及び水抜き手段であるバルブユニットの斜視図、図８は衛生洗浄装置の内機図、図９は衛生洗浄装置の水路系統図である。
【００１５】
　以下に、本発明の第１の実施形態について説明する。
図１に示すように、衛生洗浄装置１は、後述する洋風便器の後部上面に設置され、衛生洗浄装置の本体ケース２に対して概略同じ幅であり、回動自在に取り付けられた便座３及び便ふた４を有している。
【００１６】
　図９に示すように、給水配管１８から給水口５へ水道水を供給された水は、本体ケース２内のバルブユニット６の水路を経由し、温水タンク２０に入り温水をノズル１７から吐水させることによって人体局部を洗浄する。
【００１７】
　図２に示すように、給水接続部５は製品の側面に設置されており、便器に干渉することがない。またこの例では、給水接続部５は上下に回転可能に取り付けられており、給水配管１８を違和感なく接続することを可能としている。また、水路の開閉手段及び水抜き手段が構成されているバルブユニット６が本体ケース２内に設置され、水抜きは前記本体ケース２の底部に設けられた開口部７から水抜き栓８を外して行われる。ここで水抜き栓８は、閉状態にあるときは本体ケース底面よりも上方に収納されることにより、便器に干渉したり、誤って落下したときに損傷することがない。また本体ケース２の底部には衛生洗浄装置１を便器に取り付けられた後述するベースプレート１９から取外すための嵌合部１４が設けられ、便器上に設置されたベースプレート１９と簡単に脱着できる構造となっている。
【００１８】
　図５に示すように、便器１６は取付穴１６ａを有しており、ベースプレート１９を取付部材１９ｃ（ボルト）にて便器に固定する。ベースプレート１９には、取付穴１９ａ、１９ｂが長穴形状で２ヶ所形成されている。便器は、普通形状（レギュラー便器、エロンゲート便器）、特殊形状（フレンチカーブ便器等）がある。衛生洗浄装置１の便座３をレギュラーサイズ便座に統一し、例えば、図５（ｂ）に示すように、ベースプレート１９をレギュラー便器であれば取付穴１９ａのＡ部に取り付け、便器の奥行きがあるエロンゲート便器であれば、取付穴１９ａのＢ部に取り付けることにより衛生洗浄装置を前に取り付ける。
【００１９】
　図４に示すように、フレンチカーブ便器１５は、衛生洗浄装置１の本体ケース２の側面や後部のコーナー部に対する部位に膨らみを持たせた特殊な形状の便器であるため、ベースプレート１９の取付穴１９ｂの位置でＣ部の位置に適宜取り付け、また、給水接続部５が本体ケース２の前方に配置されているため、前記コーナー部を給水接続部５が避ける構成となっている。このようにすると、便座は統一便座であり、便器との一体感を損なわない。また、取付穴１９ａ、１９ｂは長穴であるため位置の調整が可能である。なお、取付穴１９ａ、１９ｂは長穴であるため取り付け位置の決定が難しいが、指定の位置に取り付けるための型紙２０がベースプレート１９で取り付けられており、型紙には便器開口部の縁の位置が記載されている記載部２０ａと実際の便器縁を合わせてベースプレート１９を固定すると、確実に便器にあったベースプレートの取り付けが可能となる。型紙２０は取り外しが容易な構造となっており、ベースプレート１９を便器に固定したら取り外す。
【００２０】
　図６（ａ）に示すように、ベースプレート１９を便器１６に固定し、衛生洗浄装置１を固定する。衛生洗浄装置１とベースプレート１９は衛生洗浄装置の固定部（図示なし）によって固定される。
【００２１】
　図６（ｂ）に示すように、衛生洗浄装置１の側部に設けられた、固定解除ボタン１ａを押すことにより、ベースプレート１９と衛生洗浄装置１の固定部解除でき、衛生洗浄装置を便器から取り外すことが可能となる。
【００２２】
　図７に示すように、バルブユニット６は、給水接続部５、水抜き栓８、水路の開閉手段である電磁便６ａ、給水圧を調整する調圧部６ｂで概略構成されている。給水接続部５はＬ字形状をしており、パルブユニット６のボディ部６ｃに接続され、上下に回転自在となる構成となっている。
【００２３】
　図８に示すように、給水接続部５の回転軸５ａは、便器正面中心と平行に内機内に配置する。また、給水接続部５の上方から、断面略コ字形状で内機側に外部からの水侵入を防止する被水カバー２１が取り付けられている。
【００２４】
　図３に示すように、バルブユニット６の水抜き構造は、給水口５から水路の開閉手段６ａの間に設けられた水抜き手段である水抜き栓８が、閉状態の場合は、排水口９の内壁と水抜き栓８の外周に設けられたネジ機構８ａ等によって水抜き栓が保持され、Ｏリング１０にて水密状態が保たれている。開状態の場合は、作業者がネジ８ａを緩め水抜き栓８を外して行う。
【００２５】
　また、閉状態の時、水抜き栓８が本体ケースの底面１１から出ることはない。さらに、前記排水口９は本体ケース２に設けられたリブ１２によって囲まれ、排水口９の外壁と本体ケース２に設けられたリブ１２の内壁は近接しているので、抜いた水が本体ケース内に浸入しづらい構造となっている。また、排水口８に設けたリブ１３の下面と本体ケース２に設けられたリブ１２の上面を近接させても良い。
【００２６】
　さらに、前記の排水口９の外壁と本体ケース２に設けられたリブ１２の内壁の間、または排水口に設けたリブ１３の下面と本体ケース２に設けられたリブ１２の上面の間に、Ｏリングやパッキン等（図示しない）を挟ませたシール構造をとれば、抜いた水が本体ケース内にさらに浸入しづらい構造となる。このような構成により、給水接続部や水抜き部の張り出しがないため見栄えが良く、落下時にも破損しにくい本体ケース２を備えた衛生洗浄装置を実現できる。
【００２７】
　以上により、本発明における衛生洗浄装置１は、意匠性を損なうことなく多様な便器に取り付け可能である。
【図面の簡単な説明】
【００２８】
【図１】本発明の実施の形態に係る衛生洗浄装置の斜視図
【図２】同衛生洗浄装置の底面からの斜視図
【図３】同衛生洗浄装置の水抜き手段の断面図
【図４】フレンチカーブ便器に取り付けた衛生洗浄装置の斜視図
【図５】衛生洗浄装置の取付部材であるベースプレートの便器への取付説明図
【図６】便器と衛生洗浄装置の着脱説明図
【図７】本発明の実施の形態に係るバルブユニットの斜視図
【図８】本発明の実施の形態に係る衛生洗浄装置の内機図
【図９】同衛生洗浄装置の水路系統図
【符号の説明】
【００２９】
　　１：衛生洗浄装置
　　２：本体ケース
　　３：便座
　　４：便ふた
　　５：給水口
　　６：バルブユニット
　　７：開口部
　　８：水抜き栓
　　９：排水口
　　１０：Ｏリング
　　１１：本体ケース底面
　　１２：本体ケースリブ
　　１３：排水口リブ
　　１４：嵌合部
　　１５：特殊な形状の便器（フレンチカーブ便器）
　　１６：普通の形状の便器（レギュラー・エロンゲート便器）
　　１７：ノズル
　　１８：給水配管
　　１９：ベースプレート
　　２０：温水タンク
　　２１：被水カバー
【図１】
2004137878.tif 000003
【図２】
2004137878.tif 000004
【図３】
2004137878.tif 000005
【図４】
2004137878.tif 000006
【図５】
2004137878.tif 000007
【図６】
2004137878.tif 000008
【図７】
2004137878.tif 000009
【図８】
2004137878.tif 000010
【図９】
2004137878.tif 000011